(57)【要約】【課題】基板ケースを取り外すような不正行為を困難にし、更には不正行為の抑止効果を得ることができる遊技台、遊技システム及び遊技台の不正行為防止方法を提供する。【解決手段】スロットマシン１０は、開口部１２Ａを有する略箱状の本体キャビネット１２と、この本体キャビネット１２内に配設され、且つ、遊技に関する制御を行う基板を収容した基板ケース１４と、本体キャビネット１２内に配設され、且つ、開口部１２Ａからの基板ケース１４の取り外しを不能にするための阻止部材１６を備えている。そして、本体キャビネット１２に基板ケース１４の出し入れが可能な基板ケース用開口部１２Ｂを形成し、且つ、基板ケース用開口部１２Ｂはスロットマシン１０が設置されたときに閉塞されるように配設されている。【選択図】図１
2006130115.tif 000002
【特許請求の範囲】
【請求項１】
開口部を有する略箱状の本体キャビネットと、
該本体キャビネット内に配設され、且つ、遊技に関する制御を行う基板を収容した基板ケースと、を備えた遊技台において、
前記本体キャビネット内に配設され、且つ、前記開口部からの前記基板ケースの取り外しを不能にするための阻止部材を備えると共に、
前記本体キャビネットに前記基板ケースの出し入れが可能な基板ケース用開口部を形成し、且つ、該基板ケース用開口部は前記遊技台が設置されたときに閉塞されるように配設されていることを特徴とする遊技台。
【請求項２】
請求項１において、
前記基板ケース用開口部が、前記本体キャビネットの側面に配設されていることを特徴とする遊技台。
【請求項３】
請求項２において、
前記基板ケース用開口部が、前記本体キャビネットの側面における前記本体キャビネットの背面近傍に配設されていることを特徴とする遊技台。
【請求項４】
請求項１乃至３のいずれかにおいて、
前記基板ケース用開口部が、前記本体キャビネットに複数配設されていることを特徴とする遊技台。
【請求項５】
請求項１乃至４のいずれかにおいて、
前記阻止部材は、前記本体キャビネットの開口部側から前記基板ケースを視認可能な部材で構成されていることを特徴とする遊技台。
【請求項６】
請求項１乃至５のいずれかにおいて、
前記本体キャビネットに対する前記阻止部材の取り付け位置を調整可能な阻止部材取り付け部材を備えたことを特徴とする遊技台。
【請求項７】
請求項１乃至６のいずれかにおいて、
前記基板ケースを前記本体キャビネット内に取り付け可能な基板ケース取り付け部材を備えると共に、
該基板ケース取り付け部材は、前記基板ケースを着脱可能に構成され、且つ、前記基板ケースを前記基板ケース用開口部方向に案内するための案内ガイドを有してなることを特徴とする遊技台。
【請求項８】
請求項１乃至６のいずれかにおいて、
前記阻止部材が、前記基板ケースを前記本体キャビネット内に取り付け可能な基板ケース取り付け部材と兼用されていることを特徴とする遊技台。
【請求項９】
請求項１乃至８のいずれかにおいて、
前記基板ケースは、他の基板からの配線が接続される接続端子部を複数備えると共に、
該複数の接続端子部が、前記基板ケースの端部近傍にまとめて配設されていることを特徴とする遊技台。
【請求項１０】
請求項９において、
前記阻止部材が、断面略Ｌ字形状の部材からなり、且つ、前記本体キャビネットとの間に前記配線を挿通可能な隙間を介して前記本体キャビネット内に取り付けられていることを特徴とする遊技台。
【請求項１１】
請求項９において、
前記阻止部材が、前記配線を挿通可能な配線挿通孔を有してなることを特徴とする遊技台。
【請求項１２】
請求項１乃至１１のいずれかにおいて、
前記基板ケース用開口部を閉塞する閉塞部材を備えたことを特徴とする遊技台。
【請求項１３】
請求項１２において、
前記基板ケース用開口部が、前記本体キャビネットの側面両側にそれぞれ配設されていると共に、
前記閉塞部材が、取手部材と兼用されていることを特徴とする遊技台。
【請求項１４】
請求項１乃至１３のいずれかにおいて、
前記閉塞部材は、一面が開口する有底箱状に形成されると共に、
前記閉塞部材における前記一面から底までの深さ寸法が、少なくとも前記本体キャビネットの側面の厚み寸法よりも長寸となるように形成されていることを特徴とする遊技台。
【請求項１５】
請求項１乃至１４のいずれかにおいて、
前記基板ケース用開口部近傍に、前記基板ケースの出し入れを検知可能な基板ケース検知手段を設けたことを特徴とする遊技台。
【請求項１６】
請求項１５に記載の遊技台と、
該遊技台と通信可能に構成され、且つ、前記遊技台における前記基板ケース検出手段から取得した情報に基づいて前記基板ケースの出し入れを管理する管理手段を含んでなるホールコンピュータと、を備えたことを特徴とする遊技システム。
【請求項１７】
開口部を有する略箱状の本体キャビネットと、遊技に関する制御を行う基板を収容した基板ケースと、を備えた遊技台の不正行為防止方法において、
前記開口部からの前記基板ケースの取り外しを不能にするための阻止部材を前記本体キャビネット内に配設し、且つ、該本体キャビネットに前記基板ケースの出し入れが可能な基板ケース用開口部を形成すると共に、
前記遊技台を、前記基板ケース用開口部が閉塞されるように設置することを特徴とする遊技台の不正行為防止方法。
【発明の詳細な説明】
【技術分野】
【０００１】
本発明は、スロットマシンに代表される遊技台、遊技システム及び遊技台の不正行為防止方法に関するものである。
【背景技術】
【０００２】
近年、開口部を有する略箱状の本体キャビネットと、遊技に関する制御を行う基板を収容した基板ケースと、を備えた遊技台が広く知られており、このような遊技台においては、基板ケースを不正に取り外して改変し、改変した不正基板により不正に利益を窃取する不正行為が行われる場合があった。そして、このような不正行為は遊技店の店員に気付かれずに素早い手口で行われる傾向があった。
【０００３】
このような問題を解決する一手段として、例えば、基板ケースを取り外したときに履歴（痕跡）が残るようにした基板構造を有する遊技台が提案されている（例えば、特許文献１参照）。
【０００４】
【特許文献１】特開２００１−１６１８９１号公報
【発明の開示】
【発明が解決しようとする課題】
【０００５】
しかしながら、このような従来公知の遊技台では、基板ケースを取り外した履歴（痕跡）が残るものの、上述のように素早い手口によって不正行為が行われてしまうおそれがあった。そのため、基板ケースを取り外した痕跡に気付かなければ改変された基板によって遊技が行われてしまい、遊技店の信用や製造業者の信用を著しく低下させてしまうといった問題点があった。
【０００６】
本発明は、このような問題点を解決するためになされたものであって、基板ケースを取り外すような不正行為を困難にし、更には不正行為の抑止効果を得ることができる遊技台、遊技システム及び遊技台の不正行為防止方法を提供することを目的とする。
【課題を解決するための手段】
【０００７】
本発明は、開口部を有する略箱状の本体キャビネットと、該本体キャビネット内に配設され、且つ、遊技に関する制御を行う基板を収容した基板ケースと、を備えた遊技台において、前記本体キャビネット内に配設され、且つ、前記開口部からの前記基板ケースの取り外しを不能にするための阻止部材を備えると共に、前記本体キャビネットに前記基板ケースの出し入れが可能な基板ケース用開口部を形成し、且つ、該基板ケース用開口部は前記遊技台が設置されたときに閉塞されるように配設されていることによって、上記課題を解決したものである。
【０００８】
なお、本発明における「基板ケース用開口部は前記遊技台が設置されたときに閉塞される」とは、基板ケース用開口部が当該遊技台とは異なる他の物体によって閉塞されることを意味し、具体的には、例えば（１）遊技台が複数並べて配設された結果、基板ケース用開口部が当該遊技台とは別の他の遊技台によって閉塞される場合、（２）当該遊技台の近傍にメダル貸出機（ＣＲサンド）等の遊技装置が設置された結果、基板ケース用開口部が遊技装置によって閉塞される場合、（３）基板ケース用開口部が当該遊技台を設置するために設けられた設置台によって閉塞される場合、（４）基板ケース用開口部が当該遊技台が設置される遊技店の壁や柱などによって閉塞される場合などを意味する。
【０００９】
本発明によれば、遊技台を遊技店に設置した状態では基板ケースの出し入れが不能となる。又、たとえ遊技台を設置場所から移動し、基板ケースの出し入れを不正に行うとしても、スロットマシンの本体キャビネットには様々な制御装置や部材が収容され、重量が重くなるのが一般的であり、その移動には相当な時間を要するため、基板ケースを取り外すような不正行為を困難にし、更には不正行為の抑止効果を得ることができる。
【００１０】
なお、前記基板ケース用開口部が、前記本体キャビネットの側面に配設されていれば、通常、遊技台は複数台が隣接して設置されるため、隣接する遊技台によって基板ケース用開口部を閉塞することができ、基板ケースを取り外すような不正行為を困難にすることができる。
【００１１】
又、前記基板ケース用開口部が、前記本体キャビネットの側面における前記本体キャビネットの背面近傍に配設されていれば、基板ケースを取り外すためには遊技台をより手前に移動する必要があり、不正行為を更に困難にすることができる。
【００１２】
更に、前記基板ケース用開口部が、前記本体キャビネットに複数配設されていれば、複数箇所から基板ケースの出し入れを行うことができ、基板ケースの保守点検などにおける利便性を高めることが可能となる。
【００１３】
更に又、前記阻止部材は、前記本体キャビネットの開口部側から前記基板ケースを視認可能な部材で構成されていれば、基板に搭載されたＣＰＵなどの不正改造を目視点検することが可能となる。
【００１４】
又、前記本体キャビネットに対する前記阻止部材の取り付け位置を調整可能な阻止部材取り付け部材を備えていれば、本体キャビネット内のスペースを有効に活用することができるようになり、例えば、リールを収容するための十分なスペースを確保したり、リールの形状変更などに容易に対応することが可能となる。
【００１５】
更に、前記基板ケースを前記本体キャビネット内に取り付け可能な基板ケース取り付け部材を備えると共に、該基板ケース取り付け部材は、前記基板ケースを着脱可能に構成され、且つ、前記基板ケースを前記基板ケース用開口部の方向に案内するための案内ガイドを有して構成されていれば、製造時における基板ケースの取り付けや、基板ケースの保守点検などを容易に行うことができる。
【００１６】
更に又、前記阻止部材が、前記基板ケースを前記本体キャビネット内に取り付け可能な基板ケース取り付け部材と兼用されていれば、遊技台を構成する部品の点数を少なくすることが可能となる。
【００１７】
又、前記基板ケースは、他の基板からの配線が接続される接続端子部を複数備えると共に、該複数の接続端子部が、前記基板ケースの端部近傍にまとめて配設されていれば、保守点検などに伴って基板ケースの取り付けや取り外しを行う場合でも、配線の着脱を容易に行うことができるようになる。
【００１８】
なお、この場合、前記阻止部材が、断面略Ｌ字形状の部材からなり、且つ、前記本体キャビネットとの間に前記配線を挿通可能な隙間を介して前記本体キャビネットに取り付けられていれば、阻止部材と配線が相互に干渉することがなく、配線の取り付け及び取り外しが容易となる。又、前記阻止部材が、前記配線を挿通可能な配線挿通孔を有して構成されていても、阻止部材と配線が相互に干渉することがなく、配線の取り付け及び取り外しが容易となる。
【００１９】
更に、前記基板ケース用開口部を閉塞する閉塞部材を備えていれば、基板ケース用開口部を閉塞部材によって隠すことができる上に、本体キャビネット内にゴミや塵などが入り込むのを未然に防止することが可能となる。
【００２０】
なお、前記基板ケース用開口部が、前記本体キャビネットの側面両側にそれぞれ配設されていると共に、前記閉塞部材が、取手部材と兼用されていれば、保守点検、初期設置、設置位置の変更の際の遊技台の持ち運びが容易となる。
【００２１】
更に、前記基板ケースを背面側から視認可能に構成されていれば、背面側からも基板ケースの目視点検を行うことが可能となる。
【００２２】
更に又、前記閉塞部材は、一面が開口する有底箱状に形成されると共に、前記閉塞部材における前記一面から底までの深さ寸法が、少なくとも前記本体キャビネットの側面の厚み寸法よりも長寸となるように形成されていれば、遊技台の持ち運びが一層容易となる。
【００２３】
又、前記基板ケース用開口部近傍に、前記基板ケースの出し入れを検知可能な基板ケース検知手段を設ければ、基板ケースの出し入れ状況を容易に管理することが可能となる。従って、例えば、この遊技台と、遊技台と通信可能に構成され、且つ、前記遊技台における前記基板ケース検出手段から取得した情報に基づいて前記基板ケースの出し入れを管理する管理手段を含んでなるホールコンピュータと、を備えた遊技システムとすれば、基板ケースの出し入れ状況をホールコンピュータにおいて集中管理することができる。
【００２４】
又、本発明は、開口部を有する略箱状の本体キャビネットと、遊技に関する制御を行う基板を収容した基板ケースと、を備えた遊技台の不正行為防止方法において、前記開口部からの前記基板ケースの取り外しを不能にするための阻止部材を前記本体キャビネット内に配設し、且つ、該本体キャビネットに前記基板ケースの出し入れが可能な基板ケース用開口部を形成すると共に、前記遊技台を、前記基板ケース用開口部が閉塞されるように設置することによって、上記同様の課題を解決したものである。
【発明の効果】
【００２５】
本発明に係る遊技台、遊技システム及び遊技台の不正行為防止方法によれば、基板ケースを取り外すような不正行為を困難にし、更には不正行為の抑止効果を得ることができるという優れた効果を有する。
【発明を実施するための最良の形態】
【００２６】
以下、図面を用いて、本発明の実施例１〜５に係るスロットマシン（遊技台）について詳細に説明する。
【実施例１】
【００２７】
最初に、図１〜図６を用いて、本発明の実施例１に係るスロットマシン１０について説明する。
【００２８】
図１に示されるように、本実施例１に係るスロットマシン１０は、正面側に開口する開口部１２Ａを有する略箱状の本体キャビネット１２と、この本体キャビネット１２内に配設され、且つ、遊技に関する制御を行う基板を収容した基板ケース１４と、本体キャビネット１２内に配設され、且つ、開口部１２Ａからの基板ケース１４の取り外しを不能にするための阻止部材１６と、を有して構成されている。
【００２９】
本体キャビネット１２には、開閉自在な前面扉１８が取り付けられていると共に、この本体キャビネット１２内には、遊技に使用される複数のリール２０や遊技媒体（例えばコイン）を貯留・排出するためのホッパー２２などが収容されている。
【００３０】
又、本体キャビネット１２は、基板ケース１４の出し入れが可能な基板ケース用開口部１２Ｂを有しており、この基板ケース用開口部１２Ｂは、本体キャビネット１２の側面における本体キャビネット１２の背面近傍に配設されている。なお、基板ケース用開口部１２Ｂは、本体キャビネット１２内から発せられる熱を外部へ放出するための放熱孔としても機能する。
【００３１】
基板ケース１４は、本体キャビネット１２の背面内側に、図２に示されるような基板ケース取り付け部材２４を介して取り付けられている。
【００３２】
この基板ケース取り付け部材２４は、基板ケース１４の一端側に設けられた係止片１４Ａと係止可能な係止部２４Ａと、基板ケース１４の他端側に形成された突出部１４Ｂをワンウェイネジや嵌めこみ式のピンなどを介して固定する固定部２４Ｂと、を有しており、基板ケース取り付け部材２４は、基板ケース１４を着脱可能に構成されている。又、基板ケース取り付け部材２４は、図３に拡大して示されるように、基板ケース１４を基板ケース用開口部１２Ｂ方向に案内するための案内ガイド２４Ｃを有しており、基板ケース１４を案内ガイド２４Ｃに沿ってスライドして挿入することによって基板ケース１４の着脱が容易となっている。
【００３３】
基板ケース１４は、本体キャビネット１２（の上面、側面、背面）、リール２０及び阻止部材１６によって閉塞された状態となっている（開口部１２Ａからの取り外しが不能となっている）。又、基板ケース１４は、図４に示されるように、他の基板（図示省略）からの配線２６が接続される接続端子部２７を複数備え、該複数の接続端子部２７が、基板ケース１４の端部近傍にまとめて配設されている。なお、スロットマシン１０が、主として遊技進行を制御するメイン基板と、主として演出等の制御を行うサブ基板によって構成される場合、本発明に係る基板ケースには、メイン基板が装着された基板ケースのみならず、サブ基板が装着された基板ケースも含まれる。
【００３４】
図１に戻って、阻止部材１６は、本体キャビネット１２の開口部１２Ａ側から基板ケース１４を視認可能な部材であり、本実施例１では透明のアクリル板によって構成されている。又、阻止部材１６は、本体キャビネット１２内に、図５に示されるような阻止部材取り付け部材２８を介して取り付けられている。
【００３５】
この阻止部材取り付け部材２８は、透明アクリル板からなる阻止部材１６の上縁を挟んで固定するための一対の上部支持部材２８Ａ及び２８Ｂと、阻止部材１６の下縁を下方から支持するための下部支持部材２８Ｃと、によって構成されている。一対の上部支持部材２８Ａ及び２８Ｂと下部支持部材２８Ｃは、本体キャビネット１２の側面両側（図５には側面片側のみ図示）に形成された複数の孔からなる上部取り付け部１２Ｃ及び下部取り付け部１２Ｄにねじ２８Ｄによって固定可能とされており、阻止部材取り付け部材２８は、本体キャビネット１２に対する阻止部材１６の取り付け位置を調整可能に構成されている。
【００３６】
次に、本実施例１に係るスロットマシン１０の作用について説明する。
【００３７】
スロットマシン１０は、図６（Ａ）、（Ｂ）に示されるように、基板ケース用開口部１２Ｂがスロットマシン１０を設置するために設けられた設置台３０によって閉塞されるように設置される。なお、本発明は、基板ケース用開口部１２Ｂが設置台３０によって閉塞されるような場合に限定されるものではなく、例えば、スロットマシンが複数並べて配設された結果、基板ケース用開口部１２Ｂがスロットマシン１０とは別の他のスロットマシンによって閉塞される場合、スロットマシン１０の近傍にメダル貸出機（ＣＲサンド）等の遊技装置が設置された結果、基板ケース用開口部１２Ｂが遊技装置によって閉塞される場合、基板ケース用開口部１２Ｂがスロットマシン１０が設置される遊技店の壁や柱などによって閉塞される場合なども含まれる。
【００３８】
本実施例１に係るスロットマシン１０の不正行為防止方法によれば、開口部１２Ａからの基板ケース１４の取り外しを不能にするための阻止部材１６を本体キャビネット１２内に配設し、且つ、本体キャビネット１２に基板ケース１４の出し入れが可能な基板ケース用開口部１２Ｂを形成すると共に、スロットマシン１０を、基板ケース用開口部１２Ｂが閉塞されるように設置するため、スロットマシン１０を遊技店に設置した状態では基板ケース１４の出し入れが不能となる。又、たとえスロットマシン１０を設置場所から移動し、基板ケース１４の出し入れを不正に行うとしても、スロットマシン１０の本体キャビネット１２には様々な制御装置や部材が収容され、重量が重くなるのが一般的であり、その移動には相当な時間を要するため、基板ケース１４を取り外すような不正行為を困難にし、更には不正行為の抑止効果を得ることができる。
【００３９】
又、本実施例１に係るスロットマシン１０によれば、本体キャビネット１２内に配設され、且つ、開口部１２Ａからの基板ケース１４の取り外しを不能にするための阻止部材１６を備えると共に、本体キャビネット１２に基板ケース１４の出し入れが可能な基板ケース用開口部１２Ｂを形成し、且つ、基板ケース用開口部１２Ｂはスロットマシン１０が設置されたときに閉塞されるように配設されているため、本実施例１に係るスロットマシン１０の不正行為防止方法と同様の効果を得ることができる。
【００４０】
しかも、基板ケース用開口部１２Ｂが、本体キャビネット１２の側面に配設されているため、通常、スロットマシン１０は複数台が隣接して設置されるため、隣接する他のスロットマシンによって基板ケース用開口部１２Ｂを閉塞することができ、基板ケース１４を取り外すような不正行為を困難にすることができる。
【００４１】
又、基板ケース用開口部１２Ｂが、本体キャビネット１２の側面における本体キャビネット１２の背面近傍に配設されているため、基板ケース１４を取り外すためにはスロットマシン１０をより手前に移動する必要があり、不正行為を更に困難にすることができる。
【００４２】
更に、阻止部材１６は、本体キャビネット１２の開口部１２Ａ側から基板ケース１４を視認可能な部材で構成されているため、基板に搭載されたＣＰＵなどの不正改造を目視点検することができる。
【００４３】
又、本体キャビネット１２に対する阻止部材１６の取り付け位置を調整可能な阻止部材取り付け部材２８を備えているため、本体キャビネット１２内のスペースを有効に活用することができるようになり、例えば、リール２０を収容するための十分なスペースを確保したり、リール２０の形状変更などに容易に対応することができる。
【００４４】
更に、基板ケース１４を本体キャビネット１２内に取り付け可能な基板ケース取り付け部材２４を備えると共に、基板ケース取り付け部材２４は、基板ケース１４を着脱可能に構成され、且つ、基板ケース１４を基板ケース用開口部１２Ｂの方向に案内するための案内ガイド２４Ｃを有して構成されているため、製造時における基板ケース１４の取り付けや、基板ケース１４の保守点検などを容易に行うことができる。
【００４５】
又、基板ケース１４は、他の基板からの配線２６が接続される接続端子部２７を複数備え、該複数の接続端子部２７が、基板ケース１４の端部近傍にまとめて配設されているため、保守点検などに伴って基板ケース１４の取り付けや取り外しを行う場合でも、配線２６の着脱を容易に行うことができる。
【実施例２】
【００４６】
次に、図７を用いて、本発明の実施例２に係るスロットマシン４０について説明する。
【００４７】
図７（Ａ）に示されるように、本実施例２に係るスロットマシン４０は、上記実施例１に係るスロットマシン１０の阻止部材１６に代えて、図７（Ｂ）に示されるような断面略Ｌ字形状の阻止部材４２を適用したものである。なお、他の構成については上記実施例１に係る遊技台１０と同一であるため、同一の部分については図中において同じ符号を付すこととし、その説明は省略する。
【００４８】
本実施例２に係るスロットマシン４０の阻止部材４２は、本体キャビネット１２との間に配線２６を挿通可能な隙間を介して本体キャビネット１２に取り付けられている。
【００４９】
本実施例２に係る遊技台４０によれば、阻止部材４２が、断面略Ｌ字形状の部材からなり、且つ、本体キャビネット１２との間に配線２６を挿通可能な隙間を介して本体キャビネット１２に取り付けられているため、阻止部材４２と配線２６が相互に干渉することがなく、配線２６の取り付け及び取り外しが容易である。
【００５０】
なお、本発明に係る遊技台は、本実施例２に係るスロットマシン４０の構成に限定されるものではなく、例えば、図８（Ａ）に示されるスロットマシン４４のように、配線２６を挿通可能な配線挿通孔４６Ａを有してなる、図８（Ｂ）に示されるような阻止部材４６を備えていてもよい。このようなスロットマシン４４によれば、阻止部材４６が、配線２６を挿通可能な配線挿通孔４６Ａを有して構成されているため、本実施例２に係るスロットマシン４０と同様に、阻止部材４６と配線２６が相互に干渉することがなく、配線２６の取り付け及び取り外しが容易である。
【実施例３】
【００５１】
次に、図９を用いて、本発明の実施例３に係るスロットマシン５０について説明する。
【００５２】
図９（Ａ）に示されるように、本実施例３に係るスロットマシン５０は、上記実施例１に係るスロットマシン１０の阻止部材１６に代えて、図９（Ｂ）に示されるような阻止部材５２を適用したものである。なお、他の構成については上記実施例１に係る遊技台１０と同一であるため、同一の部分については図中において同じ符号を付すこととし、その説明は省略する。
【００５３】
本実施例３に係るスロットマシン５０の阻止部材５２は、基板ケース１４を本体キャビネット１２内に取り付け可能な基板ケース取り付け部材としても機能するようになっている。
【００５４】
本実施例３に係るスロットマシン５０によれば、阻止部材５２が、基板ケース１４を本体キャビネット１２内に取り付け可能な基板ケース取り付け部材と兼用されているため、スロットマシン５０を構成する部品の点数を少なくすることができる。
【実施例４】
【００５５】
次に、図１０を用いて、本発明の実施例４に係るスロットマシン６０について説明する。
【００５６】
図１０に示されるように、本実施例４に係るスロットマシン６０は、上記実施例１に係るスロットマシン１０の基板ケース用開口部１２Ｂを、本体キャビネット１２の側面の両側にそれぞれ配設したものである。なお、他の構成については上記実施例１に係る遊技台１０と同一であるため、同一の部分については図中において同じ符号を付すこととし、その説明は省略する。
【００５７】
本実施例４に係るスロットマシン６０によれば、基板ケース用開口部１２Ｂが、本体キャビネット１２に複数配設されているため、複数箇所から基板ケース１４の出し入れを行うことができ、基板ケース１４の保守点検などにおける利便性を高めることができる。
【実施例５】
【００５８】
次に、図１１を用いて、本発明の実施例５に係るスロットマシン７０について説明する。なお、図１１は、本実施例５に係るスロットマシン７０の背面図である。
【００５９】
本実施例５に係るスロットマシン７０の背面には、背面開口部７０Ａが形成されていると共に、基板ケース１４は、透明なアクリル板からなる基板ケース取り付け部材７２によってスロットマシン７０の背面に取り付けられている。なお、他の構成については上記実施例１に係る遊技台１０と同一であるため、同一の部分については図中において同じ符号を付すこととし、その説明は省略する。
【００６０】
本実施例５に係るスロットマシン７０によれば、基板ケース１４を背面側から視認可能に構成されているため、背面側からも基板ケース１４の目視点検を行うことができる。
【００６１】
なお、本発明に係るスロットマシンは、上記実施例１〜５に係るスロットマシンの構造等に限定されるものではない。従って、例えば、上記実施例１〜５においては、メダル（コイン）を遊技媒体としたスロットマシンの例を示したが、本発明はこれに限定されるものではなく、例えば、遊技球（例えば、パチンコ玉）を遊技媒体としたスロットマシン（いわゆるパチロット）に適用することもできる。
【００６２】
又、基板ケース用開口部１２Ｂを本体キャビネット１２の側面に配設したが、本発明はこれに限定されるものではなく、本体キャビネット１２の背面や上面に配設してもよい。
【００６３】
更に、本発明に係る阻止部材は、透明なアクリル板に限定されるものではなく、例えば、図１２（Ａ）に示されるような格子形状の阻止部材７４や、図１２（Ｂ）に示されるような網状の阻止部材７６など、本体キャビネット１２の開口部１２Ａ側から基板ケース１４を視認可能な部材を適用することができる。
【００６４】
更に又、図１３に示されるように、基板ケース用開口部１２Ｂを閉塞する閉塞部材７８を備えていれば、基板ケース用開口部１２Ｂを閉塞部材７８によって隠すことができる上に、本体キャビネット１２内にゴミや塵などが入り込むのを未然に防止することが可能となる。
【００６５】
なお、基板ケース用開口部１２Ｂが、本体キャビネット１２の側面両側にそれぞれ配設されていると共に、閉塞部材７８が、取手部材と兼用されていれば、保守点検、初期設置、設置位置の変更の際の遊技台の持ち運びが容易となる。又、図１４に示されるように、閉塞部材７８は、一面が開口する有底箱状に形成されると共に、閉塞部材７８における一面から底までの深さ寸法が、少なくとも本体キャビネット１２の側面の厚み寸法よりも長寸となるように形成されていれば、遊技台の持ち運びが一層容易となる。
【００６６】
更に、図１５に示されるスロットマシン８０のように、基板ケース１４にバーコード８２を貼付し、基板ケース用開口部１２Ｂ近傍に、バーコード８２の情報を読み取り可能な読取部８４を設けてもよい。このように、基板ケース用開口部１２Ｂ近傍に、基板ケース１４の出し入れを検知可能な読取部（基板ケース検知手段）８４を設ければ、基板ケース１４の出し入れ状況を容易に管理することが可能となる。従って、例えば、図１６及び図１７に示される遊技システム９０のように、スロットマシン８０と、このスロットマシン８０と通信可能に構成され、且つ、スロットマシン８０における読取部８４から取得した情報に基づいて基板ケース１４の出し入れを管理する管理部（管理手段）９２を含んでなるホールコンピュータ９４と、を備えれば、基板ケース１４の出し入れ状況をホールコンピュータ９４の管理部９２において集中管理することができる。なお、例えば、管理部９２において基板ケース１４の出し入れが検知されたときに、スロットマシン８０の周辺を監視カメラで撮影可能とすれば、不正行為を監視することが可能となる。
【産業上の利用可能性】
【００６７】
本発明は、スロットマシン等に代表される遊技台に適用することができる。
【図面の簡単な説明】
【００６８】
【図１】本発明の実施例１に係るスロットマシンの前面扉を開いた状態における概略斜視図
【図２】同スロットマシンにおける基板ケース取り付け部材の周辺部を拡大して示す部分拡大図
【図３】同スロットマシンにおける基板ケースを基板ケース取り付け部材に取り付ける過程を示す部分拡大図
【図４】同スロットマシンにおける基板ケースの概略正面図
【図５】同スロットマシンにおける阻止部材取り付け部材と本体キャビネットの一部を拡大して示す部分拡大図
【図６】同スロットマシンの設置態様を概略的に示す概略側断面図であり、同スロットマシンの設置前の様子を示す図（Ａ）及び設置後の様子を示す図（Ｂ）
【図７】本発明の実施例２に係るスロットマシンの概略側断面図（Ａ）、及び同スロットマシンにおける阻止部材の概略斜視図（Ｂ）
【図８】本発明の他の実施例に係るスロットマシンの概略側断面図（Ａ）、及び同スロットマシンにおける阻止部材の概略斜視図（Ｂ）
【図９】本発明の実施例３に係るスロットマシンの概略側断面図（Ａ）、及び同スロットマシンにおける阻止部材の概略斜視図（Ｂ）
【図１０】本発明の実施例４に係るスロットマシンの基板ケース用開口部周辺を部分的に示す概略部分斜視図
【図１１】本発明の実施例５に係るスロットマシンの背面図
【図１２】本発明に係る阻止部材の他の例を示す正面図であり、格子形状の阻止部材を示す図（Ａ）、及び網状の阻止部材を示す図（Ｂ）
【図１３】本発明に係る基板ケース用開口部を閉塞する閉塞部材と、本体キャビネットの一部を示す概略斜視図
【図１４】同基板ケース用開口部周辺の断面を示す概略断面図
【図１５】本発明に係る基板ケース用開口部近傍に基板ケース検知手段を設けた例を示す概略斜視図（ａ）及び本発明に係る基板ケースにバーコードを貼付した例を示す概略正面図
【図１６】本発明に係る遊技システムの概略ブロック図
【図１７】同遊技システムにおける基板ケースの出し入れ管理の一例を示す概略図
【符号の説明】
【００６９】
１０、４０、４４、５０、６０、７０、８０…スロットマシン
１２…本体キャビネット
１２Ａ…開口部
１２Ｂ…基板ケース用開口部
１４…基板ケース
１６、４２、４６、５２、７４、７６…阻止部材
１８…前面扉
２０…リール
２２…ホッパー
２４…基板ケース取り付け部材
２６…配線
２７…接続端子部
２８…阻止部材取り付け部材
３０…設置台
８２…バーコード
８４…読取部
９０…遊技システム
９２…管理部
９４…ホールコンピュータ
【図１】
2006130115.tif 000003
【図２】
2006130115.tif 000004
【図３】
2006130115.tif 000005
【図４】
2006130115.tif 000006
【図５】
2006130115.tif 000007
【図６】
2006130115.tif 000008
【図７】
2006130115.tif 000009
【図８】
2006130115.tif 000010
【図９】
2006130115.tif 000011
【図１０】
2006130115.tif 000012
【図１１】
2006130115.tif 000013
【図１２】
2006130115.tif 000014
【図１３】
2006130115.tif 000015
【図１４】
2006130115.tif 000016
【図１５】
2006130115.tif 000017
【図１６】
2006130115.tif 000018
【図１７】
2006130115.tif 000019